(57)【要約】【課題】観賞魚用水槽において、水換え、底砂内の清掃、ゴミ・汚物の除去、底砂の移動、水槽壁面の掃除などあらゆる水槽内の清掃作業と水槽の大小や底砂の質・水位差の状況に応じた水槽内の清掃作業を簡単で快適で的確に行えるようにする事を目的とする。【解決手段】サイホンポンプ部１の両端に蛇腹状もしくは筒状の吸引ホース２と排出ホース３を夫々連通接続したサイホンポンプにおいて、吸引側のホースの先端に透明で屈曲しない直管状の支持パイプ４を設けて連通させ、該支持パイプ４の先端に清掃ユニット接続部を設け、該清掃ユニット接続部にOリングや弾力性のあるパッキンを設けてエア漏れを防ぎ、ネジ部あるいは密接可能な接続部を介して清掃ユニットの開口部の口径や形状を用途や目的に応じて変化させた各種清掃ユニット７、７ａ、７ｂ、７ｃ、７ｄと連通接続し、かつ脱着及び取替え可能であることを特徴とする観賞魚用サイホンポンプ。【選択図】    図１
2012196166.tif 000002
【特許請求の範囲】
【請求項１】
握縮並びに復元自在のポンプ部の両端に蛇腹状もしくは筒状の吸引ホースと排出ホースを夫々連通接続したサイホンポンプにおいて、吸引側のホースの先端にパイプホース接続部を設け、該パイプホース接続部と清掃ユニット接続部の間に透明で屈曲しない直管状部を設けて連通させ、該清掃ユニット接続部にOリングや弾力性のあるパッキンを設けてエア漏れを防ぎ、ネジ部あるいは密接可能な接続部を介して清掃ユニットの開口部の口径や形状を用途に応じて変化させた各種清掃ユニットと連通接続し、且つこれら清掃ユニットの脱着及び取替え可能であることを特徴とする観賞魚用サイホンポンプ。
【請求項２】
上記記載のサイホンポンプにおいて、ポンプ部に方向弁を利用したポンプ部を有することを特徴とする請求項１記載の観賞魚用サイホンポンプ
【請求項３】
上記記載の各種清掃ユニット内に脱着可能なストレーナーを接続するためのストレーナー接続部を設けたことを特徴とする請求項１及び請求項２記載の観賞魚用サイホンポンプ
【請求項４】
上記記載の各種清掃ユニットにおいて、清掃ユニットの開口部が該清掃ユニット接続部の口径より途中よりさらに大きな口径を有する清掃ユニットとすることを特徴とする請求項１及び請求項２記載の観賞魚用サイホンポンプ
【請求項５】
上記記載の各種清掃ユニットにおいて、清掃ユニットの開口部が該清掃ユニット接続部と同一の口径の清掃ユニットとすることを特徴とする請求項１及び請求項２記載の観賞魚用サイホンポンプ
【請求項６】
上記記載の各種清掃ユニットにおいて、清掃ユニットの開口部が該清掃ユニット接続部の口径より途中からより小さな口径で円錐形のフィルター状をしている清掃ユニットとすることを特徴とする請求項１及び請求項２記載の観賞魚用サイホンポンプ
【請求項７】
上記記載の各種清掃ユニットにおいて、清掃ユニットの開口部が該清掃ユニット接続部の口径より途中から三角形の板２枚をスリット状の隙間を設けた三角柱のような形状をしている清掃ユニットとすることを特徴とする請求項１及び請求項２記載の観賞魚用サイホンポンプ
【発明の詳細な説明】
【技術分野】
【０００１】
本発明は、観賞魚などの飼育水槽の水換えや水槽内壁面の清掃、水槽内の魚や小石・砂などは吸い込まないで残餌や魚糞・水草の破片などの汚物を吸引して除去に使用するサイホンポンプに関するものである。
【背景技術】
【０００２】
従来からこのような目的に使用されるサイホンポンプは公知であり、従来のサイホンポンプには、吸水筒部の先端にフィルターを設けたものがある（例えば、特許文献１、特許文献２、特許文献３参照。）また、長さの異なる吸引筒口と流量調節具によって汚物の除去や水換えを行おうとするものがある（特許文献４参照。）また、スリット状のストレーナーを導水部に設けたことを特徴とするものもある（特許文献５参照。）また、伸縮胴部の伸長作用や方向弁の作用によりサイホン式の給排水作用をさせるものもある（特許文献６及び特許文献７参照。）以上、いずれも水槽内の水換えや汚物除去に使用するものである。
【０００３】
また、水槽内の壁面掃除具として、平坦な拭取り面に自在に対応する支持棒を取り付けたもの（特許文献８参照）や、スリット状の吸込み口と吸込みパイプを連結させたもの（特許文献９参照）がある。
【先行技術文献】
【特許文献】
【０００４】
【特許文献１】実公昭４８−４１０３９号公報
【特許文献２】実開昭４８−９６１９８号公報
【特許文献３】実開昭６３−４９０００号公報
【特許文献４】実開平５−３６１００号公報
【特許文献５】特開平１１−３２５０００号公報
【特許文献６】特開平１１−２４３８０９号公報
【特許文献７】特許公開２０００−２０９９７８号公報
【特許文献８】特許公開２００１−２２４２７６号公報
【特許文献９】特許公開平８−１５５４０４号公報
【発明の開示】
【発明が解決しようとする課題】
【０００５】
従来からあるこれらの公報記載のものは、排水作業や水槽底部の汚物を吸引した際に、水や汚物だけでなく魚や小石・砂利・砂・魚の死体や糞・水草の残骸をも吸引して開口部に目詰まりを起こし易く、吸引力が著しく低下して肝心の汚物や水を吸引できなくなったりした。また、水槽底で小石などにこびりついている汚物を分離して吸引することはできず、十分に機能を発揮することができない欠点があった。
【０００６】
また、目詰まりを起こした吸引部の魚や小石・砂利・砂・魚の死体や糞・水草の残骸を取り除くには、一旦、清掃作業を中断してピンセットで一つ一つ摘まみ出すか、水圧をかけて洗い流すしか方法がなく、非常に面倒なものであった。
【０００７】
また、従来からあるサイホンポンプは、吸引開口部の口径がそれぞれ一定であり、サイホンポンプの原理である水位差が大きい場合は吸い込み圧が強くなり水位差が小さい場合は吸い込み圧が弱くなるという事実に対応していない。つまり、水位差が大きく吸い込み圧が強過ぎる時は汚物によってすぐに目詰まりを起こし易く、比重の小さな底砂をも大量に吸い上げて底砂の排出まで起こしてしまう欠点があった。そこで、細心の注意を払いながら汚物だけを排出し底砂を吸い込まないようにする必要があり、非常に面倒であった。また、底砂の質つまり底砂の粒の大きさや比重に応じた清掃作業が困難であった。
【０００８】
また、吸引開口部の口径が小さく、何度も底砂内に吸引開口部を挿入し直さないと底砂内の汚物を除去することができず、広い水槽の底砂を掃除する時には非常にわずらわしいものであった。
【０００９】
また、このような底砂の目詰まりや排出を想定して、流量調節具を設けたことを特徴とする実開平５−３６１００公報記載のものや特願平１１−３２５０００の公報記載のものがあるが、いずれも流量を小さくすることで目詰まりを解決しようとする手段であり、その分、水換えや汚物の除去時間が長く必要となり、流量調節具を手で操作する面倒さがあった。
【００１０】
また、水槽の水換えや汚物除去と水槽内壁面の清掃をするサイホンポンプは別の物であり、2つのポンプを使用しないと水槽の清掃作業をすることができなかった。
【００１１】
また、観賞魚用水槽では水草を植えることが多く、水草と水草の間の清掃をすることは隙間が狭いため、従来の吸引筒口では口径を変えられず、清掃作業することは困難であった。
【００１２】
また、吸引筒口を支えるパイプが透明でない物は、汚物がどの程度除去できたのか目視することができず、清掃という作業の有効性の確認が半減されるものであったし、清掃作業の達成感も半減された。
【００１３】
また、該パイプが屈曲したり頑丈でないため、あるいは、口径が小さいため、水槽の底に敷いた小石などを掻き混ぜて汚物と小石や砂利を分離させたり、底砂や砂利を自由に水槽内で移動させることが困難であった。
【００１４】
また、吸引開口部や吸い上げパイプとストレーナー部等各接続部分は嵌め込んだり入れ込んだりネジによる接合であったりするが、それだけでは完全に密封接合できないため隙間から空気が漏れ、水槽内の水の吸引速度が著しく遅くなったり水の吸引・排水が途中で停止してしまうことがあった。
本発明は、以上のような従来の問題点を解決するものである。
【課題を解決するための手段】
【００１５】
前記課題を達成するための手段として、以下に図面及び符号とともに説明する。本発明は、握縮並びに復元自在のポンプ部1の両端に蛇腹状もしくは筒状の吸引ホース２と排出ホース３を夫々連通接続したサイホンポンプにおいて、吸引側のホース２の先端にパイプホース接続部６を設け、該パイプホース接続部６と清掃ユニット接続部５の間に透明で屈曲しない直管状の支持パイプ４を設けて連通させ、該清掃ユニット接続部５にOリングやパッキンを設けて清掃ユニット７とのネジ接続あるいははめ込み接続に際してエア漏れを防ぎ、清掃作業の目的・用途に応じた各種清掃ユニット７、７ａ、７ｂ、７ｃ、７ｄとそれぞれ連通接続し、かつそれらの脱着及び取替え可能であるように構成された観賞魚用サイホンポンプである。
【００１６】
清掃ユニット７は、清掃ユニット接続部５の雄ネジ部にネジ止め可能な雌ネジ部を有しネジ接続する事によりＯリングまたはパッキンが締め付けられ、エア漏れを防ぐ構造となっている。また、雌ネジ部のすぐ下にはフィルター１１を設け、大きなゴミや魚などを通過させない構造となっている。また、清掃ユニット接続部５とは接続しない他方は、より口径の大きな開口部を有し数箇所に切りかき１３を設けている。また、フィルター１１のさらに奥にはストレーナー接続部１２を設けスリット状の間隙のあるストレーナー１４が脱着可能な構造となっている。
【００１７】
清掃ユニット７の口径や形状を用途に応じて変化させた各種清掃ユニット7ａ・7ｂ・7ｃ・7ｄは、水槽内の清掃に際してそれぞれ目的や用途があり、それを順次、以下に説明する。
【００１８】
清掃ユニット7ａは清掃ユニット7の開口部をさらに大きくした構造となっている。その形状は丸型でも四角型でも有効である。また、清掃ユニット7同様にストレーナー接続部１２を有し、ストレーナー１４を取り付けることもできる。この清掃ユニット7ａは、水槽の水面と排出側の水位差が大きく吸引力が強くても開口部が広いために単位面積あたりの吸引力は弱くなり、より大きな水槽の底砂の清掃や底砂の粒が細かい砂の清掃や比重の小さい底砂の場合に適している。
【００１９】
清掃ユニット7ｂは図７に示すような清掃ユニット7の開口部を清掃ユニット接続部５とほぼ同じ大きさにした構造のものである。清掃ユニット7と比較すると開口部が狭くなっている為、単位面積あたりの吸引力が強く、底砂をきめ細かく清掃する場合や底砂の粒が粗い場合や比重の大きな底砂の場合や水槽の水面と排出側の水位差が小さく吸引力が弱い場合の清掃に適している。
【００２０】
清掃ユニット7ｃは図８に示すような清掃ユニット7ｂの開口部にスリット状の先を細めた先細フィルター２３を取り付けた構造のものである。この清掃ユニット7ｃは、水槽内の装飾や観賞用に植栽された水草と水草の間や細い隙間の底砂を清掃する時に適している。
【００２１】
清掃ユニット7ｄは図１０・図１１・図１２に示すような清掃ユニット7の開口部を逆三角形の２枚の薄片をスリット状の開口部１５が得られるように重ね合わせた構造となっている。清掃ユニット接続部５とネジ接続できるように雌ネジ部１０を逆三角形の１辺に有し、図１１に示すように他の２辺はスリット支持棒１６に支えられてスリットを維持する構造である。また、２辺のスリット開口部には、スリット弁１８がスリット弁支持棒によって内側にのみ可動し、外側へは可動できないように弁止め１７を有する構造となっている。
【００２２】
この清掃ユニット7ｄは、水槽内の壁面に付着した藻やコケを清掃する時に適している。また、これらの藻やコケはこびりつくことが多く、力を入れてこすらないとなかなか清掃することができない。この場合、図９に示すように支持パイプの短い４ａとパイプホース接続部６で吸引ホース２と接続して手に持ち使用する。
【発明の効果】
【００２３】
本発明のサイホンポンプで水槽内の清掃を行うと、これまでの欠点を全てカバーすることができ、快適に清掃作業を行うことができる。以下、水槽内の清掃作業を、汚れや浮遊物が多い場合の水換えや清掃、底砂の質や水位差の状況・水槽の大きさに応じた清掃、水槽内壁面の清掃の3つの場合に分けて説明する。
【００２４】
まず、単なる水換え作業の場面は、本発明のサイホンポンプに清掃ユニット７や７ａ・７ｂを接合して可能である。汚れや浮遊物が多い場合は、清掃ユニット７や７ａ・７ｂにストレーナー１４を接続し、汚れや浮遊物がストレーナーにこびりつく状況や吸引状況を見てストレーナー１４だけを取り外し、汚れや目詰まり物を洗い流し再び前記清掃ユニットに装着する。
【００２５】
簡単に脱着可能なストレーナー１４を設けたことで、多くの汚れや浮遊物の１次除去ができ、また、フィルター１１と合わせ二重のフィルター効果が得られ、目詰まりが極端に少なくなり、また、水中でストレーナー１４を脱着することで水換え作業を中断することなく可能となり、汚れや浮遊物が多い場合の水換え時間が短縮できる効果が得られた。
【００２６】
次に、底砂の質や水位差の状況・水槽の大きさに応じた清掃の場合であるが、底砂の粒や底砂の比重が小さい場合、あるいは大きな水槽の底砂を清掃する場合、あるいは水槽内の水面と排水部の水位差が大きい場合には、清掃ユニット７ａを装着し底砂内に開口部を挿入する。
【００２７】
この場合、吸水力は大きいが吸引側の間口が広いため単位面積あたりの吸引力が弱くなり、全体の排水能力を高く維持したまま短時間で排水することができる。また、底砂内の汚物やゴミなどは比重が軽いため、吸引間口が広い分だけ広範囲の汚物やゴミなどを水と一緒に排水することができる。
【００２８】
次に、底砂の粒や底砂の比重が大きい場合、あるいは水槽内の水面と排水部の水位差が小さい場合には、清掃ユニット７ｂを装着し底砂内に開口部を挿入する。この場合、吸水力は水位差が小さいため小さくなるが、吸引側の間口が狭いため単位面積あたりの吸引力が大きくなり、全体の排水能力は高く維持したまま排水することができる。また、底砂内の汚物やゴミを細かい分まで除去することができる。
【００２９】
また、水槽内に植栽された水草間の底砂の清掃には、清掃ユニット７ｃを装着する。先を細くした先端部分を水草間の隙間の底砂に挿入することで目的が達成できる。
【００３０】
また、支持パイプ４は屈曲しないので、吸引ホース２との接続部分を握り、該支持パイプ４と連通接続している清掃ユニット７で底砂を掻き混ぜることも可能となった。それにより汚物で固着した底砂を容易に攪拌し、沈殿した汚物だけを吸引除去することもできるようになった。また、手を水に深くつける事なく、水換え作業をしながら支持パイプと清掃ユニットで底砂を広範囲で自在に移動させることができるようになった。
【００３１】
底砂内の汚物の除去作業の場面では、透明の支持パイプ４内を通過する汚物の状況を一目瞭然に把握することができ、汚れ具合や汚物の除去状況まで認識することができるようになった。その事により水換えの量や時間を見積もることができ、要領よく水槽の掃除ができるようになった。
【００３２】
万一、目詰まりをした場合は、吸引ホース２と支持パイプ４の接合部辺りを持って清掃ユニット７を振り下ろすことで遠心力を利用してフィルター１１に詰まった汚物やゴミなどを一挙に取り除くことができるようになった。
【００３３】
清掃ユニット接続部５にOリングやパッキンを設けることで清掃ユニット接続部５と各種清掃ユニットとが完全に密着し、排水時に水位が下がった時でも当該接続部より空気が流入せず、空気漏れで排水作業が中断することなく水槽の底の最後まで排水ができるようになった。
【００３４】
水槽内壁面の清掃には、清掃ユニット７ｄを装着する。逆三角形のスリット状になっており、こびりついたコケ等をこの三角形の薄片でこすり落とし、はがれたコケ等はスリットに吸い込まれて水と一緒に排出される。
【００３５】
三角形の２辺には内側にしか傾かない弁が付いており、コケ等を吸い込んだ側の弁が内側に傾くと他方の弁は弁止めによって外側へ行かないように閉じるため、はがれ落ちたコケ等は水槽内の水を汚すことなく排出され、飼育魚にとって清掃作業中も良い環境を維持できるようになった。
【００３６】
また、水槽内壁面に付着するコケ等はこびりついて強くこすらないと除去することができない場合が多く、その時は図９にあるような短い支持パイプ４ａを装着すると操作しやすい。
【図面の簡単な説明】
【００３７】
【図１】サイホンポンプの全体斜視図
【図２】清掃ユニットの斜視図
【図３】吸引筒口接続部と清掃ユニットの斜視図
【図４】ストレーナーの縦断面図
【図５】ストレーナーを接続した吸引筒口接続部と清掃ユニットの縦断面図
【図６】清掃ユニットの実施態様７ａの斜視図
【図７】清掃ユニットの実施態様７ｂの斜視図
【図８】清掃ユニットの実施態様７ｃの斜視図
【図９】清掃ユニットの実施態様７ｄを装着した本発明の正面図
【図１０】清掃ユニットの実施態様７ｄの斜視図
【図１１】清掃ユニットの実施態様７ｄの斜視図
【図１２】清掃ユニットの実施態様７ｄの縦断面図
【図１３】清掃ユニットの実施態様７ｄの横断面図
【図１４】パイプホース接続部を有しない本発明の実施態様の全体斜視図
【図１５】吸引筒口接続部と清掃ユニットの接続部の実施態様の斜視図
【図１６】ポンプ部を二重弁にした本発明の実施態様の斜視図
【符号の説明】
【００３８】
１    ポンプ
２    吸引ホース
３    排出ホース
４    支持パイプ
５    吸引筒口接続部
６    パイプホース接続部
７    清掃ユニット
７ａ  開口部の大きい清掃ユニット
７ｂ  開口部の小さい清掃ユニット
７ｃ  開口部の先端を細くしてフィルターを設けた清掃ユニット
７ｄ  開口部を扁平なスリット状にした清掃ユニット
８    雄ネジ部
９    Ｏリングまたはパッキン
10        雌ネジ部
11        フィルター
12        ストレーナー接続部
13        切りかき
14        ストレーナー
15        ７ｄのスリット
16        ７ｄのスリット支持棒
17        弁止め
18        ７ｄのスリット弁
19        ７ｄのスリット弁支持棒
20        清掃ユニット接続部
21        二重弁
22        ストレーナーのスリット
23        先細フィルター
【図１】
2012196166.tif 000003
【図２】
2012196166.tif 000004
【図３】
2012196166.tif 000005
【図４】
2012196166.tif 000006
【図５】
2012196166.tif 000007
【図６】
2012196166.tif 000008
【図７】
2012196166.tif 000009
【図８】
2012196166.tif 000010
【図９】
2012196166.tif 000011
【図１０】
2012196166.tif 000012
【図１１】
2012196166.tif 000013
【図１２】
2012196166.tif 000014
【図１３】
2012196166.tif 000015
【図１４】
2012196166.tif 000016
【図１５】
2012196166.tif 000017
【図１６】
2012196166.tif 000018